(57)【特許請求の範囲】
【請求項１】
画像を表示する表示体と、光軸に交差する方向に並んで設けられた２つ以上の結像素子を有する第１の結像系と、単一の結像素子からなる第２の結像系とを具備し、前記表示体の側から前記第１の結像系、前記第２の結像系の順に配されており、
前記第２の結像系を構成する結像素子が、球対称または光軸に交差する方向に回転中心軸を有する回転対称であるか、球対称または光軸に交差する方向に回転中心軸を有する回転対称である形状の一部を有することを特徴とする浮遊像表示装置。
【請求項２】
前記第１の結像系を構成する結像素子が、隣接する結像素子との間に隙間を設けず配置されていることを特徴とする請求項１に記載の浮遊像表示装置。
【請求項３】
前記第１の結像系を構成する前記２つ以上の結像素子の各光軸が１点で交わることを特徴とする請求項１または２に記載の浮遊像表示装置。
【請求項４】
前記第１の結像系により前記表示体の画像が結像される位置が、前記各光軸が交わる１点にあることを特徴とする請求項３に記載の浮遊像表示装置。
【請求項５】
前記表示体が、複数の画面から積層状の画像を表示可能であることを特徴とする請求項１〜４のいずれか１項に記載の浮遊像表示装置。
【請求項６】
前記表示体が、表示画像データを、その奥行き方向の前側と後側との２層に分配して前記積層状の画像を表示可能であることを特徴とする請求項５に記載の浮遊像表示装置。
【請求項７】
表示体に画像を表示するステップと、前記画像の光線が、光軸に交差する方向に並んで設けられた２つ以上の結像素子を有する第１の結像系および単一の結像素子からなる第２の結像系をこの順で経るステップとを具備し、
前記第２の結像系を構成する結像素子が、球対称または光軸に交差する方向に回転中心軸を有する回転対称であるか、球対称または光軸に交差する方向に回転中心軸を有する回転対称である形状の一部を有することを特徴とする表示方法。
【発明の詳細な説明】
【技術分野】
【０００１】
本発明は、浮遊像を表示することが可能な浮遊像表示装置および表示方法に関する。
【背景技術】
【０００２】
物体の三次元像（立体像）を表示可能な表示装置として、例えば、表示パネル等に表示された画像を空中に浮遊させて表示（提示）する表示装置がある。特許文献１には、複数個のレンズが光軸方向に並べて配置され、その間隔が所定の関係を満たすことにより、光学系に入射した光が順に各結像素子を通過すると、物体を等倍率で結像させることができる等倍結像光学系が記載されている。また、特許文献２には、表示手段に表示させた物体の画像を、等倍結像光学系により表示手段の外部空間に浮遊させる構成の空間浮遊像表示装置が記載されている。
【先行技術文献】
【特許文献】
【０００３】
【特許文献１】特許第４４６８２２７号公報
【特許文献２】特許第４５０３４８４号公報
【発明の概要】
【発明が解決しようとする課題】
【０００４】
しかし、レンズが光軸方向に並んで配置された光学系を用いる表示方法では、観察者が物体の像を観察することのできる範囲（視域）が、レンズの開口サイズにより狭く制限されるという問題があった。さらに、光学系のレンズが観察者の視線の延長線上にあるため、像が映像であることがすぐに観察者に認識されやすく、像が実在の物体であるかのような現実感が低下していた。また、特定の物体の内部に映像を表示するような神秘的な表現も困難であった。
【０００５】
上記事情に鑑み、本発明は、広い視域で現実感の高い浮遊像を表示することが可能な浮遊像表示装置および表示方法を提供することを目的とする。
【課題を解決するための手段】
【０００６】
本発明の一態様は、画像を表示する表示体と、光軸に交差する方向に並んで設けられた２つ以上の結像素子を有する第１の結像系と、単一の結像素子からなる第２の結像系とを具備し、前記表示体の側から前記第１の結像系、前記第２の結像系の順に配されていることを特徴とする浮遊像表示装置である。
【０００７】
本発明の一態様は、上記の浮遊像表示装置であって、前記第１の結像系を構成する結像素子が、隣接する結像素子との間に隙間を設けず配置されている。
【０００８】
本発明の一態様は、上記の浮遊像表示装置であって、前記第２の結像系を構成する結像素子が、球対称または光軸に交差する方向に回転中心軸を有する回転対称であるか、球対称または光軸に交差する方向に回転中心軸を有する回転対称である形状の一部を有する。
【０００９】
本発明の一態様は、上記の浮遊像表示装置であって、前記第１の結像系を構成する前記２つ以上の結像素子の各光軸が１点で交わる。
【００１０】
本発明の一態様は、上記の浮遊像表示装置であって、前記第１の結像系により前記表示体の画像が結像される位置が、前記各光軸が交わる１点にある。
【００１１】
本発明の一態様は、上記の浮遊像表示装置であって、前記表示体が、複数の画面から積層状の画像を表示可能である。
【００１２】
本発明の一態様は、上記の浮遊像表示装置であって、前記表示体が、表示画像データを、その奥行き方向の前側と後側との２層に分配して前記積層状の画像を表示可能である。
【００１３】
本発明の一態様は、表示体に画像を表示するステップと、前記画像の光線が、光軸に交差する方向に並んで設けられた２つ以上の結像素子を有する第１の結像系および単一の結像素子からなる第２の結像系をこの順で経るステップとを具備することを特徴とする表示方法である。
【発明の効果】
【００１４】
本発明により、広い視域で現実感の高い浮遊像を表示することが可能になる。
【図面の簡単な説明】
【００１５】
【図１】本発明の浮遊像表示装置の実施形態である表示装置１０の概略構成図である。
【図２】一実施例である第１の結像系１１０の正面図である。
【図３】一実施例である第１の結像系１１０の上面図である。
【発明を実施するための形態】
【００１６】
図１は、本発明の浮遊像表示装置の実施形態である表示装置１０の概略構成図である。
【００１７】
本実施形態の表示装置１０は、２つ以上の結像素子１１Ａ，１１Ｂを有する第１の結像系１１を有する。第１の結像系１１を構成する結像素子１１Ａ，１１Ｂは、各光軸１８Ａ，１８Ｂに交差する方向に並んで設けられている。第１の結像系１１を構成する各結像素子１１Ａ，１１Ｂの開口（アイリス）は、光軸方向で互いに重なり合うことがない。
【００１８】
本実施形態の場合、各結像素子１１Ａ，１１Ｂは、互いに等しい焦点距離を有するレンズである。各結像素子１１Ａ，１１Ｂは、点Ｏを中心とする回転曲面１１Ｃに沿って配置されている。すなわち、各結像素子１１Ａ，１１Ｂと点Ｏとの間の距離は、互いに等しい。回転曲面１１Ｃは、実在の物体（結合素子の支持部材等）として構成される必要はなく、仮想の曲面であってよい。回転曲面１１Ｃの具体例として、球面、円筒面等が挙げられる。なお、図１において、回転曲面１１Ｃは、紙面に垂直な回転中心軸を有する。回転曲面１１Ｃが球面である場合、中心となる点Ｏを通る任意の直線が回転中心軸となる。
【００１９】
本実施形態の表示装置１０は、単一の結像素子１２Ａからなる第２の結像系１２を有する。第２の結像系１２を構成する結像素子１２Ａとしては、球体、球殻、円柱体、円筒体などの回転体形状を有するレンズが挙げられる。図１において、結像素子１２Ａは、直径Ｄの回転体である。なお、第２の結像系を構成する結像素子は、球対称または光軸に交差する方向に回転中心軸を有する回転対称である形状に限られず、球対称または光軸に交差する方向に回転中心軸を有する回転対称である形状の一部である形状、例えば半球状、部分球状などでもよい。
【００２０】
本実施形態の表示装置１０は、画像を表示する複数の表示体１３Ａ，１３Ｂを有する。本実施形態の表示体１３Ａ，１３Ｂは、２つの二次元ディスプレイの画像をハーフミラーで合成する積層画像表示装置である。この積層画像表示装置は、第１のディスプレイ１４Ａ，１４Ｂの画像を構成する光の一部がハーフミラー１６Ａ，１６Ｂを透過することで観察者に到達すると共に、第２のディスプレイ１５Ａ，１５Ｂの画像を構成する光の一部がハーフミラー１６Ａ，１６Ｂを反射することで観察者に到達することにより、観察者に同時に到達した２つの画像が光学的に合成されるように構成されている。画像（映像）は、静止画でも動画でもよい。
【００２１】
本実施形態において、表示体１３Ａ，１３Ｂは、第１の結像系１１を構成する結像素子１１Ａ，１１Ｂのそれぞれに１対１で対応するように配置されている。表示体１３Ａ，１３Ｂからの光線は、各結像素子１１Ａ，１１Ｂの開口に向けて射出される。表示体１３Ａ，１３Ｂから発せられた画像の光線は、第１の結像系１１を構成する結像素子１１Ａ，１１Ｂにより、第２の結像系１２内に結像されることが好ましい。これにより、観察者は、浮遊像が第２の結像系１２内に実在するかのように画像を知覚することができる。
【００２２】
第１の結像系１１を構成する結像素子１１Ａ，１１Ｂの光軸１８Ａ，１８Ｂは、１つの交点Ｏで交わることが好ましい。これにより、各結像素子１１Ａ，１１Ｂにより結像される表示体１３Ａ，１３Ｂの像の中心間距離を、各結像素子１１Ａ，１１Ｂの中心間距離よりも短くすることができる。第１の結像系１１を構成する結像素子１１Ａ，１１Ｂと交点Ｏとの間の距離は、結像素子１１Ａ，１１Ｂの焦点距離ｆ１より長い。各結像素子１１Ａ，１１Ｂと交点Ｏとの間の距離は、互いに等しいことが好ましい。
【００２３】
第１の結像系１１を構成する結像素子１１Ａ，１１Ｂの焦点距離をｆ１とし、表示体１３Ａ，１３Ｂと第１の結像系１１との間の距離をｄ１とし、第１の結像系１１と第２の結像系１２の中心との間の距離をｄ２とする。第１の結像系１１を構成する結像素子１１Ａ，１１Ｂが、表示体１３Ａ，１３Ｂにより表示される画像を第２の結像系１２の中心付近に結像するとき、次の関係式１が成り立つ。
【００２４】
関係式１：  （１／ｄ１）＋（１／ｄ２）＝（１／ｆ１）
【００２５】
この関係式１を、ｄ１について解くと、ｄ１は次の式（数１）により求められる。
【００２６】
【数１】
0006516161.tif 000002
【００２７】
ｄ１を式（数１）のように設定することにより、各表示体１３Ａ，１３Ｂの画像（映像）を、第２の結像系１２の中心付近に結像することができる。
【００２８】
表示体１３Ａ，１３Ｂが積層画像表示装置であるとき、ディスプレイと第１の結像系との間の距離は、奥行き方向の距離の大小に応じて、差異を設けることが好ましい。なお、ここで、距離とは、光が進行する経路に沿った長さ（光学距離）を意味する。例えば、第２のディスプレイ１５Ａ，１５Ｂと第１の結像系１１との間の距離は、第２のディスプレイ１５Ａ，１５Ｂとハーフミラー１６Ａ，１６Ｂとの間の距離に、ハーフミラー１６Ａ，１６Ｂと第１の結像素子１１Ａ，１１Ｂとの間の距離を加えた合計である。
【００２９】
一例として、第１のディスプレイ１４Ａ，１４Ｂが奥行き方向の後面側を表示し、第２のディスプレイ１５Ａ，１５Ｂが奥行き方向の前面側を表示する場合、第１のディスプレイ１４Ａ，１４Ｂと第１の結像素子１１Ａ，１１Ｂとの間の距離が、第２のディスプレイ１５Ａ，１５Ｂと第１の結像素子１１Ａ，１１Ｂとの間の距離より大きくなるよう設定される。
【００３０】
このように、第１のディスプレイ１４Ａ，１４Ｂと結像素子１１Ａ，１１Ｂとの間の距離が、第２のディスプレイ１５Ａ，１５Ｂと結像素子１１Ａ，１１Ｂとの間の距離と異なる場合がある。すなわち、複数のディスプレイの画像を合成する場合には、各画像が第２の結像系１２内で結像する位置に若干のずれが生じる場合がある。このため、表示体が複数のディスプレイを含む場合には、表示体と第１の結像系との間の距離ｄ１は、各ディスプレイと第１の結像系との距離の中間的な値（例えば平均値）とすることが好ましい。
【００３１】
第２の結像系１２を構成する結像素子１２Ａの中心は、第１の結像系１１を構成する結像素子１１Ａ，１１Ｂの光軸１８Ａ，１８Ｂの交点Ｏ付近に配置されることが好ましい。これにより、各表示体１３Ａ，１３Ｂから発せられて、第１の結像系１１を経た各光線が、第２の結像系１２において、単一の結像素子１２Ａに到達することができる。
【００３２】
第１の結像系１１を構成する結像素子１１Ａ，１１Ｂの開口（アイリス）は、第２の結像系１２により像１７Ａ，１７Ｂを結ぶ。これらの像１７Ａ，１７Ｂと第２の結像系１２との間の距離ｄ３は、第２の結像系１２を構成する結像素子１２Ａの焦点距離をｆ２とするとき、次の関係式２が成り立つ。
【００３３】
関係式２：  （１／ｄ２）＋（１／ｄ３）＝（１／ｆ２）
【００３４】
なお、関係式２のｄ２は、上述した関係式１と同様に、第１の結像系１１と第２の結像系１２の中心との間の距離を表す。この関係式２を、ｄ３について解くと、ｄ３は次の式（数２）により求められる。
【００３５】
【数２】
0006516161.tif 000003
【００３６】
本実施形態の表示装置１０において、表示体１３Ａ，１３Ｂからの光線は、第１の結像系１１を構成するレンズの開口（アイリス）内のみを一様に透過する。さらにアイリスの像は、第２の結像系１２により、第２の結像系１２からの距離がｄ３である結像面１７上に結像する。本明細書において、結像面１７を「アイリス像面」といい、アイリス像面１７上に結ぶ像１７Ａ，１７Ｂを「アイリス像」という。
【００３７】
従って、表示体１３Ａ，１３Ｂの画像は、アイリス像面１７上ではアイリス像１７Ａ，１７Ｂの中に観察者の眼（視点）があるときのみ観察可能である。アイリス像１７Ａ，１７Ｂは、第１の結像系１１を構成する結像素子１１Ａ，１１Ｂの開口（アイリス）が結像したものであるので、アイリスの形状のほぼ相似形となる。図１の例では、第２の結像系１２が透過型の結像素子から構成されており、結像素子１１Ａとそのアイリス像１７Ａは、結像素子１１Ａの光軸１８Ａ上に存在する。同様に、結像素子１１Ｂとそのアイリス像１７Ｂは、結像素子１１Ｂの光軸１８Ｂ上に存在する。
【００３８】
第１の結像系１１を構成する複数の結像素子１１Ａ，１１Ｂの間に隙間が存在すると、アイリス像面１７上にアイリス像１７Ａ，１７Ｂを見ることができない領域が生じる。そこで、第１の結像系１１を構成する結像素子１１Ａ，１１Ｂの境界には、隙間を生じさせないことが好ましい。これにより、アイリス像面１７上に沿って観察者が眼（視点）を移動させたとき、各アイリス像１７Ａ，１７Ｂを連続して観察することができる。
【００３９】
図２および図３は、本実施形態の表示装置１０で使用することが可能な、第１の結像系１１０の一つの実施例を示す概略図である。図２は正面図、図３は上面図を表す。結像素子として、一般の円形の開口を持つレンズをそのまま並べると、隣接するレンズに対し、レンズの外周の１点のみで接することになり、各レンズの開口と開口の間に隙間が生じる。
【００４０】
図２および図３にあるように、接続部分１１５を直線状に切断して隙間を除去することにより、各レンズ１１１，１１２，１１３，１１４の開口を密着させることができる。第１の結像系１１０の製造方法は、複数の別々のレンズに接続部分を加工して互いに接合する方法に限らず、複数のレンズ面が隙間なく接続した形状の光学部材を一体的に形成する方法でもよい。
【００４１】
図３に示すように、第１の結像系１１０を構成するレンズ１１１，１１２，１１３，１１４の光軸は、１点Ｏで交わる。図１の実施形態と同様に、表示体により表示される画像の光線が１点に収束し、一か所に結像するので、第２の結像系は、交点Ｏ上に配置することができる。図３にあるように、レンズ１１１，１１２，１１３，１１４の光軸が一点で交わるためには、接続部分１１５は、交点Ｏに向かうテーパー状にすることが好ましい。レンズ１１１，１１２，１１３，１１４を隙間なく並べると、適切な曲率で各レンズ１１１，１１２，１１３，１１４が配置される。
【００４２】
なお、図３に示す実施例の第１の結像系は、複数のレンズを１次元的に並べた構成であるが、レンズの形状を四角形や六角形等の多角形とし、球面、円筒面等の曲面上に２次元的にレンズを並べることにより、上下方向および左右方向に視域を拡大することも可能である。第１の結像系が球面上に結像素子を並べた構成である場合には、第２の結像系は、球対称な形状（球体、球殻等）であることが好ましい。第１の結像系が円筒面上に結像素子を並べた構成である場合には、第２の結像系は、円筒対称な形状（円柱体、円筒体等）であることが好ましい。この場合、円筒の中心軸は、光軸に垂直であることが好ましい。
【００４３】
ここで、本発明の表示方法の実施形態についても説明する。本実施形態の表示方法は、表示体１３Ａ，１３Ｂに画像を表示する第１ステップと、画像の光線が、第１の結像系１１と第２の結像系１２を順に経る第２ステップを具備する。第１ステップに関して、表示体１３Ａ，１３Ｂは、同一の画像を繰り返し表示してもよく、経時的に異なる画像を表示してもよい。第２ステップにより、表示体１３Ａ，１３Ｂの画像が浮遊像として表示される。本実施形態の表示方法は、本実施形態の表示装置１０により実施することができる。
【００４４】
本実施形態の表示装置１０で、２層の画面にＤＦＤ（奥行き融合型３次元）表示の原理に基づき、観察者が観察する方向に沿って前面側の輝度を高くした画像と後面側の輝度を高くした画像を分配して異なるディスプレイにより表示し、これらの画像を合成して観察することができる。例えば、観察者に近い位置のディスプレイでは、物体の前面側の輝度を高くした画像を提示し、観察者から遠い位置のディスプレイでは、物体の後面側の輝度を高くした画像を提示することにより、２つ以上の画面を観察者が１つに融合して知覚しやすくなる。
【００４５】
本実施形態の表示装置１０は、上述の第１の結像系１１と第２の結像系１２の組み合わせにより、どの方向から見ても表示体１３Ａ，１３Ｂの画像が一か所に結像しているため、視点を動かすと、第２の結像系１２を構成する結像素子１２Ａのまさに中心付近に物体が存在するかのような実在感の高い表示を行うことができる。
【００４６】
また、第２の結像系１２の強い屈折により、アイリス像面１７上に視点を置く観察者からは、表示体１３Ａ，１３Ｂをほとんど知覚することができないため、第２の結像系１２を構成する結像素子１２Ａ内に物体があたかも実在するような現実感の高い画像となる。
【００４７】
また、ＤＦＤ方式の積層画像は、観察者の視点の位置が表示体の正面から若干ずれても、ずれ量が微小であれば正しい運動視差を表現することができることが知られている。しかし、従来の表示方法では、物体の像を観察することのできる範囲（視域）が、レンズの開口サイズにより狭く制限されるという問題があった。
【００４８】
本実施形態の表示装置１０では、第１の結像系１１を構成する複数の結像素子１１Ａ，１１Ｂで複数の表示体１３Ａ，１３Ｂの画像を結像することにより、視域を拡大することができる。また、第１の結像系１１を構成する結像素子１１Ａ，１１Ｂのアイリス像１７Ａ，１７Ｂの一つ一つの範囲を、この運動視差が適切に表示される範囲に限定することにより、各アイリス像１７Ａ，１７Ｂ内で正しい運動視差を表現することができる。
【００４９】
さらに、本実施形態の表示装置１０では、複数のアイリス像１７Ａ，１７Ｂが連続して生じることにより、各結像素子１１Ａ，１１Ｂの視域で観察される各アイリス像１７Ａ，１７Ｂの運動視差が滑らかに接続され、アイリス像面１７の中で観察者が視点を自由に移動させても、実物体があるときと同じような自然な映像を得ることができる。
【００５０】
さらに、本実施形態の表示装置１０では、第２の結像系１２を介することにより、表示体１３Ａ，１３Ｂが観察者から直接見えなくなり、現実感が向上する。表示体１３Ａ，１３Ｂの画像を積層画像とし、視域の間を連続に接続することで、なめらかな運動視差を提供することができる。
【００５１】
すなわち、広い視域で現実感の高い浮遊像を表示することが可能になる。究極的には、広い視域にわたり、観察者が３Ｄメガネのような特殊なデバイスを装着することなしに、多人数で同時使用可能で、滑らかな運動視差を提示可能な裸眼３Ｄ表示装置を実現することができる。
【００５２】
本実施形態で用いた表示体１３Ａ，１３Ｂは２層の画面を表示する方式であるが、これを３層以上の多層にすれば、奥行きの表示範囲が拡大できることは言うまでもない。また、表示体１３Ａ，１３Ｂは、ハーフミラー１６Ａ，１６Ｂを用いて２層の画面を合成する構成であるが、液晶パネル、透明有機ＥＬパネルなど、透過型の表示素子（ディスプレイ）を積層した構成でもよいし、ホログラフィックスクリーンのような透明スクリーンの積層を用いてもよい。
【００５３】
高いフレームレートのディスプレイをボイスコイル等の振動装置により高速に前後に振動させた場合、一つのディスプレイを用いて、２層または多層の画面を切り替えて表示することができる。例えば、ディスプレイが観察者に近い前側に位置するときには、奥行き方向で前側の画像を表示し、ディスプレイが観察者から遠い後側に位置するときには、奥行き方向で後側の画像を表示する等のように、振動と画像の切り替えを同期させることが考えられる。
【００５４】
また、単層の画面を表示する表示体を用いた場合でも、運動視差は若干ぎこちなくなるが、定位感の高い画像を得ることができる。
【００５５】
本実施形態では、第２の結像系１２を構成する結像素子１２Ａが球体（球対称）であるため、光の入射方向によらず任意の方向の光軸に対して光学系として対称であり、球体を通る多くの光線が近軸光線となるのでどの視域の映像も同等に収差を低減することができる。図３に示す実施例のように、第１の結像系において結像素子が１次元的に並んで配置されている場合には、第１の結像系の各結像素子の光軸に垂直な回転中心軸に対して回転対称な光学系を第２の結像系としてあれば、同等の効果が得られる。
【００５６】
本実施形態では、結像素子としてレンズを使用したが、本発明で使用可能な結像素子は、屈折を原理とする素子に限定されない。ホログラフィック光学素子のような回折型光学素子や、凹面鏡のような反射型光学素子を、第１の結像系または第２の結像系を構成する結像素子として採用することも可能である。また、反射型光学素子は、アクリル製の球殻のような反射率の低い透明体でも良い。
【００５７】
図１の実施形態では、第１の結像系が透過型光学素子であり、表示体からの光線が、第１の結像系の開口（アイリス）内のみを一様に透過する構成としたが、第１の結像系が反射型光学素子から構成されている場合には、表示体からの光線が第１の結像系の開口（アイリス）内のみを一様に反射する構成としてもよい。
【００５８】
第２の結像系を構成する反射型光学素子として、反射率の低い透明体を使用した場合には、表示映像が背景と拡張現実（ＡＲ）のように融合するため、表示系の存在を悟られずに臨場感の高い映像の表現が可能となる。この場合の球殻は、全球状、半球状、部分球状でもよい。透明体は、可視光領域の少なくとも一部で高い透過率を有すればよく、無色透明でも、着色された透明でもよい。
【００５９】
また、図１に示す実施形態では表示体１３Ａ，１３Ｂ、第１の結像系１１、第２の結像系１２、アイリス像１７Ａ，１７Ｂ（視点位置）の各中心が水平（紙面上）に配置される構成とである。しかし、本発明はこのような形態に限定されず、例えば表示体を観察者の下側に設置して、観察者が第２の結像体を斜め上方からのぞき込むような構成でもよい。この場合、光軸が斜めとなるため、表示体の表示画面が鉛直ではなく斜めになるが、表示画面またはレンズにあおり（光軸に対する傾斜）を与えて垂直に配置することもできる。また、結像系から観察者に向かう光軸の方向は、水平方向、斜め上向きに限らず、斜め下向き、鉛直上向き、鉛直下向きなど、任意の方向に設定することができる。
【００６０】
以上、図面を参照して本発明の実施形態を説明してきたが、上記の実施形態は本発明の例示に過ぎず、本発明が上記の実施形態に限定されるものではないことは明らかである。したがって、本発明の技術思想及び範囲を逸脱しない範囲で、構成要素の追加、省略、置換、その他の変更を行っても良い。
【産業上の利用可能性】
【００６１】
前記表示装置は、物体の浮遊像を表示することができるので、例えば物体、情報、広告等の表示システムなどに適用することができる。結像系をタッチパネルの表示画面に組み込むことで、浮遊像に対して位置入力を行うことが可能な構成とすることもできる。
【符号の説明】
【００６２】
１０…表示装置、１１…第１の結像系、１１Ａ，１１Ｂ…結像素子、１１Ｃ…回転曲面、１２…第２の結像系、１２Ａ…結像素子、１３Ａ，１３Ｂ…表示体、１４Ａ，１４Ｂ…第１のディスプレイ、１５Ａ，１５Ｂ…第２のディスプレイ、１６Ａ，１６Ｂ…ハーフミラー、１７…結像面（アイリス像面）、１７Ａ，１７Ｂ…像（アイリス像）、１８Ａ，１８Ｂ…光軸、１１０…第１の結像系、１１１，１１２，１１３，１１４…レンズ、１１５…接続部分。
【図１】
0006516161.tif 000004
【図２】
0006516161.tif 000005
【図３】
0006516161.tif 000006